(57)【特許請求の範囲】
【請求項１】
圃場の地中に有孔管を埋設するとともに該有孔管の下流側に水位設定器を設置し、該水位設定器によって排水水位を調節することによって圃場の水位を設定する地下灌漑システムにおいて、給水路からの用水を前記有孔管に供給する経路の途中に、用水中に含まれている土砂を沈降分離するための沈殿槽を設け、該沈殿槽は、用水の流れを制御する邪魔板を備えていることを特徴とする地下灌漑システムにおける用水供給装置。
【請求項２】
前記沈殿槽は、底部に沈殿した土砂を排出するための排泥管を備えていることを特徴とする請求項１記載の地下灌漑システムにおける用水供給装置。
【発明の詳細な説明】
【０００１】
【発明の属する技術分野】
本発明は、地下灌漑システムにおける用水供給装置に関し、詳しくは、地下に埋設した有孔管からの排水水位を調節することによって圃場の地下水位や地表水位を設定する地下灌漑システムにおける前記有孔管に用水を供給するための装置に関する。
【０００２】
【従来の技術】
近年行われつつある地下潅漑は、畑作時の圃場の地下水位を調節して毛管現象により水分を補給するものであって、地下水位を作物に適した水位に調節することによって収穫量向上等の効果を得ることができる。この地下潅漑は、圃場の地中に有孔管からなる暗渠排水パイプを埋設し、地中の余剰地下水を排水路に排出するとともに、不足する用水の供給も暗渠排水パイプを利用して行うのが一般的である（例えば、特許文献１参照。）。
【０００３】
【特許文献１】
特開平１０−１５５３７５号公報（第２頁、第１，２図）
【０００４】
【発明が解決しようとする課題】
上述のような地下灌漑において、圃場の地域的な条件によっては、供給される用水中にゴミや土砂が多く含まれていることがあるため、長期間経過すると、土砂等が暗渠排水パイプ内に蓄積して通水性能を阻害するおそれがあった。このため、土砂等を多く含む用水を地下灌漑に用いる場合は、給水路から地下灌漑系統に用水を取り込む部分に目の細かいフィルターを設置したりする必要があった。しかし、このような対策を施すと、保守に多くの手間を要することになる。
【０００５】
そこで本発明は、用水中に土砂等が多く含まれている場合でも、暗渠排水パイプ（有孔管）内への土砂等の蓄積を防止して確実な地下灌漑が行えるとともに、保守作業も容易に行うことができる地下灌漑システムにおける用水供給装置を提供することを目的としている。
【０００６】
【課題を解決するための手段】
上記目的を達成するため、本発明の地下灌漑システムにおける用水供給装置は、圃場の地中に有孔管を埋設するとともに該有孔管の下流側に水位設定器を設置し、該水位設定器によって排水水位を調節することによって圃場の水位を設定する地下灌漑システムにおいて、給水路からの用水を前記有孔管に供給する経路の途中に、用水中に含まれている土砂を沈降分離するための沈殿槽を設け、該沈殿槽は、用水の流れを制御する邪魔板を備えていることを特徴としている。
【０００７】
さらに、前記沈殿槽は、底部に沈殿した土砂を排出するための排泥管を備えていることを特徴としている。
【０００８】
【発明の実施の形態】
図は本発明の地下灌漑システムにおける用水供給装置の一形態例を示すもので、図１は地下灌漑システムの断面図、図２は地下灌漑システムにおける配管系統を示す概略平面図、図３は沈殿槽の一例を示す断面図である。
【０００９】
まず、図１及び図２に示すように、圃場の内部は、農道１１や畦畔１２によって複数の耕作区１３に区画されており、一方の農道部分には給水路１４が設けられ、他方の農道部分には排水路１５が設けられるとともに、各耕作区１３には、地下灌漑システムがそれぞれ設けられている。なお、給水路や排水路は圃場の状況に応じて任意の位置に設けることができ、畦畔の部分に設けられていることもある。
【００１０】
地下灌漑システムは、耕作区１３の地中に、給水用集合管２１及び排水用集合管２２に両端がそれぞれ接続した複数の有孔管２３を並列に等間隔で埋設するとともに、前記給水用集合管２１には、沈殿槽２４を介して前記給水路１４に接続する給水管２５を設け、前記排水用集合管２２には、水位設定器２６を介して前記排水路１５に至る排水管２７を設けたものであって、水位設定器２６によって耕作区１３からの排水水位を調節することにより、各耕作区１３の水位を任意に設定できるように形成されている。
【００１１】
前記沈殿槽２４は、給水路１４に開口する取水管２８が接続される流入側開口２９と、前記給水管２５が接続される流出側開口３０とを槽上部にそれぞれ設けるとともに、槽底部に沈殿した土砂を排出するための排泥管３１を接続する排泥口３２を設けたものであって、流入側開口２９から流入して流出側開口３０から流出する用水の流速を、土砂が沈降可能な範囲で十分に遅くできる大きさを備えている。また、図３に示すように、沈殿槽２４の内部に、用水の流れを制御するための１枚以上の邪魔板３３を設けておくことにより、土砂等を含んだ用水が流入側開口２８から流出側開口２９に短絡した状態で流れることを防止でき、より効果的に土砂の沈降分離を行うことができる。
【００１２】
なお、取水管２８の取入口には、配管経路内で詰まるおそれのある粗大なゴミを分離するための目の粗いフィルター３４を設けておくことができ、取水量を調節するための弁や堰、取水量を確認するための流量確認手段等を設けておくこともできる。また、沈殿槽２４の上部開口は蓋で塞いでおくことが望ましい。
【００１３】
このように、給水路１４からの用水を前記有孔管２３に供給する経路の途中に沈殿槽２４を設けることにより、用水中の土砂等を沈殿槽２４で沈降分離することができるので、給水管２５から有孔管２３に用水とともに土砂等が流入することを防止できる。これにより、長期間の使用においても、有孔管２３内に土砂等が蓄積して有孔管２３の通水性能を阻害することがなくなる。
【００１４】
したがって、取水口に目の細かいフィルターを設置したりする必要がなくなるので、日常的な保守点検作業を省略することが可能となり、農作業の省力化を図ることができる。
【００１５】
沈殿槽２４内に沈降した土砂等は、排泥口３２を塞ぐようにして設けられた止水栓３５を取り除いて沈殿槽２４内を排泥管３１に連通させることにより、沈殿槽２４内の用水と共に槽底部に沈殿した土砂を排泥管３１から排水路１５に向けて排水することができる。なお、止水栓３５に代えて排泥管３０の途中に弁や水閘３６を設けたり、排泥管３１の端部に止水キャップをねじ込むようにしておくこともできる。また、排泥口３２を設けずに、ポンプで沈殿槽２４内の用水と共に土砂等を吸い込んで排出するようにしてもよく、手作業で土砂等を掻き出すようにしてもよい。
【００１６】
また、沈殿槽２４は、角形や円形の枡を１個以上使用して形成することができるが、大径のパイプを農道１１や畦畔１２に沿って水平方向に設置するようにしてもよい。
【００１７】
なお、水位設定器２６による水位の設定操作は、従来と同じようにしてできるので、その詳細な説明は省略する。また、水位設定器２６の構造は任意であり、水位の設定範囲も任意である。
【００１８】
【発明の効果】
以上説明したように、本発明の地下灌漑システムによれば、給水路から供給される用水中に土砂等が多く含まれていても、沈殿槽で土砂等を沈降させて用水から分離することができるので、地下灌漑を行うための有孔管内に土砂等が流入することを防止でき、長期間にわたって確実な地下灌漑を行うことができる。
【図面の簡単な説明】
【図１】  本発明を適用した地下灌漑システムの一形態例を示す断面図である。
【図２】  本発明を適用した地下灌漑システムにおける配管系統を示す概略平面図である。
【図３】  沈殿槽の一例を示す断面図である。
【符号の説明】
１１…農道、１２…畦畔、１３…耕作区、１４…給水路、１５…排水路、２１…給水用集合管、２２…排水用集合管、２３…有孔管、２４…沈殿槽、２５…給水管、２６…水位設定器、２７…排水管、２８…取水管、２９…流入側開口、３０…流出側開口、３１…排泥管、３２…排泥口、３３…邪魔板、３４…フィルター、３５…止水栓、３６…水閘
【図１】
0003702329.tif 000002
【図２】
0003702329.tif 000003
【図３】
0003702329.tif 000004